(57)【要約】【課題】デジタル放送の視聴状態が変化した場合に、映像や音声の再生状態を変更するための面倒な操作が不要な携帯端末を提供する。【解決手段】状態判定部２０２は、携帯端末の筐体が人の手で把持されているか否か、並びに、筐体が設置面に対してどのような姿勢で置かれているか（縦置き、横置きなど）を判定する。モード判定部２０４は、状態判定部２０２の判定結果に応じて、現在の視聴状態に合った最適な再生モードを判定する。制御部２０５は、デジタル放送の受信や再生を行うアプリケーションプログラムが処理を実行中のとき若しくは起動するときに、モード判定部２０４が判定した最適な再生モードで映像や音声の再生動作が行われるように、表示部２０７の視野角や音声出力部２０７の指向性を制御する。【選択図】図１
2007096992.tif 000002
【特許請求の範囲】
【請求項１】
放送波を受信する受信手段と、
該受信手段が受信した放送波に基づいて映像及び／又は音声を再生する再生手段と、
携帯端末の状態を検出する検出手段と、
該検出手段が検出する携帯端末の状態に対応した前記再生手段における映像及び／又は音声の再生モードを複数記憶する記憶手段と、
前記検出に対応し、前記記憶手段に記憶している再生モードに変更する制御手段と
を備える携帯端末。
【請求項２】
前記制御手段は、前記検出手段により、筐体が把持されているか又は机などの上に置かれているかの状態を判定し、当該判定結果に対応した前記記憶手段に記憶している再生モードに変更する
ことを特徴とする請求項１に記載の携帯端末。
【請求項３】
前記制御手段は、前記検出手段により、筐体が机などの上に置かれている場合における前記筐体の姿勢状態を判定し、当該判定結果に対応した前記記憶手段に記憶している再生モードに変更する
ことを特徴とする請求項２に記載の携帯端末。
【請求項４】
前記検出手段は、イヤホンが接続されているか否かの状態を検出し、
前記制御手段は、前記検出手段がイヤホンの接続を検出した結果に対応した前記記憶手段に記憶している再生モードに変更する
ことを特徴とする請求項１乃至３の何れか一に記載の携帯端末。
【請求項５】
前記記憶手段は、放送番組の種類に対応した前記再生手段における映像および／または音声の再生モードを記憶し、
前記制御手段は、放送番組の種類に対応した前記記憶手段に記憶している再生モードに変更する
ことを特徴とする請求項１乃至４の何れか一に記載の携帯端末。
【請求項６】
前記再生手段は、表示画面の視野角を制御可能な表示手段を含み、
前記制御手段は、前記再生モードとして、前記表示手段の視野角を制御する
ことを特徴とする請求項１乃至５の何れか一に記載の携帯端末。
【請求項７】
前記再生手段は、出力する音声の指向性を制御可能な音声出力手段を含み、
前記制御手段は、前記再生モードとして、前記音声出力手段の指向性を制御する
ことを特徴とする請求項１乃至６の何れか一に記載の携帯端末。
【請求項８】
前記制御手段は、再生モードの変更制御を行う場合、当該変更判定の時点から所定の時間が経過するまで、設定中の再生モードを持続し、当該所定の時間が経過する前に入力手段から所定の指示が入力された場合は、当該所定の時間が経過した後も当該設定中の再生モードを持続する
ことを特徴とする請求項１乃至７の何れか一に記載の携帯端末。
【請求項９】
前記制御手段は、再生モードの変更制御を行う前記所定の時間が経過するまでの残り時間に関する情報を表示する
ことを特徴とする請求項８に記載の携帯端末。
【発明の詳細な説明】
【技術分野】
【０００１】
本発明は、携帯電話機などの画面の小さな表示部でデジタル放送を視聴することが可能な携帯端末に関する。
【背景技術】
【０００２】
近年、デジタル放送の受信装置を搭載した携帯電話機やＰＤＡ（personal digital assistant）などの携帯端末が登場し、注目を集めている。しかし、通常の携帯電話機やＰＤＡは個人が手に持って操作することを前提に作られており、これを机などに置いてデジタル放送を視聴することまで想定されていない。すなわち、一般的な携帯端末は、筐体を手に把持したときに画面が見易くなるように作られており、また、他人からは画面の表示内容を覗けないようにする秘匿性が高くなっている。そのため、携帯端末を単に机の上に置いても、快適にデジタル放送を視聴することはできない。
【０００３】
特許文献１に記載される液晶表示装置は、表示用液晶素子画面の視野角の広さを制御することが可能である。例えばこれをデジタル放送の視聴が可能な携帯端末に用いれば、一人で画面を見る場合と複数人で見る場合とで視野角を変更することが可能である。
【０００４】
一方、従来の携帯電話機には、本体の設置状態をセンサによって検出するものがある。例えば、特許文献２に記載される携帯電話機には、底面接触感知スイッチと水平感知センサが設けられている。携帯電話機が机などの水平面に置かれている場合、底面接触感知スイッチがオンするとともに、水平感知センサによってケースが水平に置かれていることが検出される。この場合、携帯電話機はバイブレータの作動を停止して、不快な振動音の発生を防止する。
【特許文献１】特開平１０−１９７８４４号公報
【特許文献２】特開２００４−２７４４３８号公報
【発明の開示】
【発明が解決しようとする課題】
【０００５】
ところで、デジタル放送を受信可能な携帯電話機の表示装置として上述した特許文献１の液晶表示装置を用いた場合、デジタル放送を１人で視聴するか複数人で視聴するかに応じて、ユーザが自分で視野角の変更を行わねばならないため、操作が面倒である。
また、例えば携帯端末を手に持って視聴しているときに、これを机などの上に置いて視聴を続けるためには、視野角の設定画面を開いて設定内容を変更する操作が必要になるため、放送中の番組が設定画面に隠れてしまい、番組への集中が削がれてしまうという不利益がある。
【０００６】
他方、デジタル放送を受信可能な携帯電話機が、特許文献２に記載されるように本体の設置状態に応じて動作状態を変更できる（例えばバイブレータの作動を停止できる）ように構成されていても、その動作状態をどのような条件でどのように変更するかに関して、デジタル放送を現在視聴中であるか否かが全く考慮されない。すなわち、デジタル放送を視聴中であるか否かが、携帯電話機の動作設定に何ら反映されていない。そのため、デジタル放送の視聴に最適な動作設定を行うことができないという不利益がある。
【０００７】
本発明はかかる事情に鑑みてなされたものであり、その目的は、デジタル放送の視聴状態が変化した場合に、映像や音声の再生状態を変更するための面倒な操作が不要な携帯端末を提供することにある。
【課題を解決するための手段】
【０００８】
上記の目的を達成するため、本発明に係る携帯端末は、放送波を受信する受信手段と、該受信手段が受信した放送波に基づいて映像及び／又は音声を再生する再生手段と、携帯端末の状態を検出する検出手段と、該検出手段が検出する携帯端末の状態に対応した前記再生手段における映像及び／又は音声の再生モードを複数記憶する記憶手段と、前記検出に対応し、前記記憶手段に記憶している再生モードに変更する制御手段とを備える。
【０００９】
前記制御手段は、前記検出手段により、筐体が把持されているか又は机などの上に置かれているかの状態を判定し、当該判定結果に対応した前記記憶手段に記憶している再生モードに変更して良い。
【００１０】
前記制御手段は、前記検出手段により、筐体が机などの上に置かれている場合における前記筐体の姿勢状態を判定し、当該判定結果に対応した前記記憶手段に記憶している再生モードに変更して良い。
【００１１】
前記検出手段は、イヤホンが接続されているか否かの状態を検出し、前記制御手段は、前記検出手段がイヤホンの接続を検出した結果に対応した前記記憶手段に記憶している再生モードに変更して良い。
【００１２】
前記記憶手段は、放送番組の種類に対応した前記再生手段における映像および／または音声の再生モードを記憶し、前記制御手段は、放送番組の種類に対応した前記記憶手段に記憶している再生モードに変更して良い。
【００１３】
前記再生手段は、表示画面の視野角を制御可能な表示手段を含み、前記制御手段は、前記再生モードとして、前記表示手段の視野角を制御して良い。
【００１４】
前記再生手段は、出力する音声の指向性を制御可能な音声出力手段を含み、前記制御手段は、前記再生モードとして、前記音声出力手段の指向性を制御して良い。
【００１５】
前記制御手段は、再生モードの変更制御を行う場合、当該変更を判定した時点から所定の時間が経過するまで、設定中の再生モードを持続し、当該所定の時間が経過する前に入力手段から所定の指示が入力された場合は、当該所定の時間が経過した後も設定中の再生モードを持続して良い。
【００１６】
前記制御手段は、再生モードの変更制御を行う前記所定の時間が経過するまでの残り時間に関する情報を表示して良い。
【発明の効果】
【００１７】
本発明によれば、デジタル放送の視聴状態が変化した場合に映像や音声の再生状態を自動的に変更できるため、ユーザが面倒な操作を行わなくて良い。また、操作のために視聴を中断せずに済むため、デジタル放送を快適に視聴できる。
【発明を実施するための最良の形態】
【００１８】
図１は、本発明の実施形態に係る携帯端末１００の構成の一例を示す図である。
図１に示す携帯端末１００は、デジタル放送受信用のアンテナ１０１と、チューナー部１０２と、復調部１０３と、ＴＳ分離部１０４と、音声復号部１０５と、映像復号部１０６と、データ復号部１０７と、送受信部１０８と、操作部１１０と、情報通信用のアンテナ１１３と、センサ２０１と、状態判定部２０２と、モード設定記憶部２０３と、モード判定部２０４と、制御部２０５と、表示部２０６と、音声出力部２０７と、イヤホン接続検知部１１４と、バイブレーション機能部１１５とを有する。
【００１９】
アンテナ１０１、チューナー部１０２、復調部１０３、ＴＳ分離部１０４、音声復号部１０５、映像復号部１０６およびデータ復号部１０７は、デジタル放送の放送波を受信する受信手段を構成する。
チューナー部１０２は、デジタル放送の放送波を受信する。
復調部１０３は、ＯＦＤＭ（orthogonal frequency division multiplex）の復調を行う。
ＴＳ分離部１０４は、復調部１０３において放送波から復調されたＴＳ（Transport Stream）を番組情報、サービス情報、ビデオストリームデータ、オーディオストリームデータ等に分離する。
音声復号部１０５は、オーディオストリームデータのデコードを行う。
映像復号部１０６は、ビデオストリームデータのデコードを行う。
データ復号部１０７は、番組情報やサービス情報などのデコードを行う。
【００２０】
表示部２０６および音声出力部２０７は、受信した放送波に基づいて映像や音声を再生出力する。
表示部２０６は、受信した映像を制御部２０５の制御に従って表示する。表示部２０６は、表示画面の視野角を変更可能である。
音声出表示部２０７は、受信した音声を制御部２０５の制御に従って出力する。音声出力部２０７は、出力する音声の指向性を変更可能である。
【００２１】
状態判定部２０２、モード設定記憶部２０３およびモード判定部２０４により、再生手段における映像や音声の再生状態に係わる所定の複数の再生モードの中から最適な再生モードを判定する。
状態判定部２０２は、携帯端末の筐体が人の手によって把持されているか又は机などの上に置かれているかなどの接触を判定する。また、携帯端末の筐体が机などの上に置かれている場合において、その筐体の姿勢（横置き、縦置き等）を判定する。
モード設定記憶部２０３は、放送の視聴の仕方に応じた最適な再生モードに関する情報を記憶する。
モード判定部２０４は、状態判定部２０２の判定結果や、データ復号部１０７で復号された情報（番組情報、サービス情報）、イヤホン接続検知部１１４の検知結果などに応じて、所定の複数の再生モードの中から最適な再生モードを判定する。
【００２２】
アンテナ１１３および送受信部１０８は、情報を送受信する通信手段を構成する。
送受信部１０８は、回線交換網からの通話信号やパケット交換網からのパケット信号を送受信する。
【００２３】
操作部１１０は、ユーザが端末を操作するための指示を入力する。
【００２４】
センサ２０１は、端末外部や内部の変化を検出する。すなわち、携帯端末の筐体の状態や移動状態を検出する。
【００２５】
イヤホン接続検知部１１４は、音声復号部１０５において復号された音声信号のイヤホン出力端子にイヤホンが接続されているか否かを検知する。
【００２６】
バイブレーション機能部１１５は、制御部２０５の制御に従って振動を発生する。
【００２７】
制御部２０５は、携帯端末を構成する各ユニットを統括的に制御する。
【００２８】
ユーザが操作部１１０においてデジタル放送の選局選定を行うと、操作部１１０からの選局情報は、制御部２０５を介して、チューナー部１０２に送られる。チューナー部１０２は、選局情報に基づいて、対応するデジタル放送を受信する。復調部１０３は、チューナー部１０２にて受信された受信データを復調し、ＴＳ分離部１０４は、前記復調されたデータ（Transport Stream）を番組情報、サービス情報、ビデオストリームデータ、オーディオストリームデータ等に分離する。音声復号部１０５は、オーディオストリームデータを復号し、音声出力部２０７は、復号されたオーディオデータをモード設定に従って音として出力する。映像復号部１０６は、ビデオストリームデータを復号し、データ復号部１０７は、番組情報、サービス情報を復号し、表示部２０６は、復号されたビデオデータ、および復号された番組情報、サービス情報をモード設定に従って表示出力する。
【００２９】
また、ユーザが操作部１１０にて回線交換網やパケット交換網への発信の操作を行うと、制御部１０９は操作部１１０からの発信情報に基づいて、送受信部１０８、アンテナ１１３を介して、不図示の基地局に発信を要求する。
【００３０】
デジタル放送の受信と再生を行う所定のアプリケーションプログラムが処理を実行しているとき若しくは起動するとき、状態判定部２０２は、センサ部２０１の検知結果に基づいて、携帯端末の筐体が人の手によって把持されているか又は机などの上に置かれているかを判定し、携帯端末の筐体が机などの上に置かれている場合においては、その筐体の姿勢（横置き、縦置き等）を判定する。
このとき、モード判定部２０４は、イヤホン接続検知部１１４の検知結果、状態判定部２０２の判定結果、およびデータ復号部１０７にて復号した番組情報に対応した最適なモード設定を判定し、判定した最適な再生モードに関する情報をモード設定記憶部２０３から取得する。
制御部２０５は、モード判定部２０４が判定した再生モードに基づいて、モード設定記憶部２０３から対応する情報を読み出して、表示部２０６の視野角などの表示設定を変更するとともに、音声出力部２０７の指向性などの音声出力設定を変更する。加えて、バイブレーション機能部１１５がモード設定に合わせてバイブレーションのオンとオフを切り替える。
【００３１】
本実施形態に係る携帯端末は、視聴の仕方に応じた４つの視聴モードを有している。
一つ目のモード（以後、モード１）は、一人で視聴する場合の視聴モードであり、ディフォルトの視聴モードとして設定される。
２つ目のモード（以後、モード２）は、多人数で視聴する場合の視聴モードである。
３つ目のモード（以後、モード３）は、端末を右方向へ横向きに倒した状態で、多人数で視聴する場合の視聴モードである。
４つ目のモード（以後、モード４）は、端末を左方向へ横向きに倒した状態で、多人数で視聴する場合の視聴モードである。
【００３２】
図２は、センサ部２０１の構成例を示す図である。
【００３３】
図２（Ａ）は、ユーザが筐体を把持したことを検知する接触センサの構成例を示す。
図２（Ａ）に示す接触センサは３つの接触センサ（静電センサ）２００１，２００２，２００３と２センサ接触検知判定部２００４を有する。接触センサ２００１，２００２，２００３は、携帯端末の筐体の各側面に一つずつ配置される。２センサ接触検知判定部２００４は、２つのセンサが物体の接触を検出した場合に、筐体が手で把持されていることを判定する。
【００３４】
図２（Ｂ）は、携帯端末の側面が机などの上に置かれているかどうかの接触を検知する側面センサの構成例を示す。
図２（Ｂ）に示す側面センサは、押圧を検知する圧電センサ２００５〜２０１２と、２センサ検知判定部２０１３，２０１４と、左右判定部２０１５とを有する。
圧電センサ２００５〜２００８は携帯端末の右側面に配置され、圧電センサ２００９〜２０１２は携帯端末の左側面に配置される。２センサ検知判定部２０１３は、圧電センサ２００５〜２００８のうち２つのセンサが押圧を検出した場合、右側面が押圧されたことを判定する。２センサ検知判定部２０１４は、圧電センサ２００９〜２０１２のうち２つのセンサが押圧を検出した場合、左側面が押圧されたことを判定する。左右判定部２０１５は、２センサ検知判定部２０１３又は２０１４の何れか一方が側面の押圧を判定した場合に、その側面が机などの上に置かれていることを判定する。
【００３５】
図２（Ｃ）は、携帯端末の底面が机などの上に置かれているかどうかの接触を検知するための底面センサの構成例を示す。
図２（Ｃ）に示す底面センサは、押圧を検知する圧電センサ２０１６および２０１７と、２センサ検知判定部２０１８とを有する。
圧電センサ２０１６，２０１７は、筐体の底面の両端部分にそれぞれ配置される。２センサ検知判定２０１８は、筐体底面の２つの圧電センサ２０１６，２０１７が共に押圧を検知した場合、筐体底面が机などの上に置かれていることを判定する。
【００３６】
図３は、表示部２０６の構成の一例を示す図である。
図３に示す表示部２０６は、画像表示方向制御部３０１と、フレームバッファ３０２と、コントラスト補正部３０３と、視野角制御部３０４と、照度補正部３０５と、サブディスプレイ表示切替部３０６と、メインディスプレイ部３０７と、サブディスプレイ部３０８とを有する。
図３に示す表示部２０６は、制御部２０５の制御命令に応じて、映像復号部１０６とデータ復号部１０７より受け取るデータの表示方法を変化させる。
【００３７】
画像表示方向制御部３０１は、制御部２０５の表示方向の命令に応じた表示方向で画像が表示されるように、映像復号部１０６およびデータ復号部１０７から供給される画像データの配列を調節して、フレームバッファ３０２に保存する。
【００３８】
コントラスト補正部３０３は、制御部２０５のコントラストに関わる命令に従って、メインディスプレイ部３０７に表示させる画像のコントラストを補正する。
【００３９】
視野角制御部３０４は、制御部２０５からの視野角に関わる命令に従って、メインディスプレイ部３０７における表示画像の視野角を制御する。すなわち、メインディスプレイ部３０７とは別のフィルタの印加電圧調整により液晶素子の構成を変化させ、メインディスプレイ部３０７における光の散乱状態と遮断状態を変更することにより、その表示画面の視野角を制御する。
【００４０】
照度補正部３０５は、制御部２０５からの照度に関わる命令に従って、メインディスプレイ部３０７の照度を補正する。
【００４１】
サブディスプレイ表示切り替え部３０６は、制御２０５からの表示有無に関わる命令に従って、再生モード毎にサブディスプレイ部３０８の表示の有無を制御する。
【００４２】
図４は、本実施形態に係る携帯端末の正面と背面の外観の一例を示す図である。
図４の例において、携帯端末１の正面には受話部２、第１ケース部３、表示部４、音声出力部（スピーカ）５、操作部６、第２ケース部７、イヤホン部８、送話部９が存在する。また背面には、サブ表示部１０、背面音声出力部（スピーカ）１１が存在する。
【００４３】
第１ケース部３と第２ケース部７の側面には、人間の電気抵抗を感知できる接触センサ８０１が配置される。ユーザが携帯電話機１を保持している場合、第２ケース部７の両側面を握るため、接触センサ８０１の内２つが検知される。
【００４４】
第１ケース部３と第２ケース部７が机などの上に置かれた時に接触する部分には、センサ８０２，８０３，８０４が配置される。
底面センサ８０２は、第２ケース部７の裏側の２箇所に配置された圧電センサ２０１６，２０１７を含む。
側面センサ８０３は、第１ケース部３および第２ケース部７の右側面の４箇所に配置された圧電センサ２００５〜２００８を含む。
側面センサ８０４は、第１ケース部３および第２ケース部７の左側面の４箇所に配置された圧電センサ２００９〜２０１２を含む。
底面センサ８０２および側面センサ８０３，８０４は、２箇所の圧電センサが同時に押圧を検知した場合、その面が机などの上に置かれていることを判定する。
【００４５】
状態判定部２０２は、上述した種類のセンサを組み合わせて、ユーザが筐体を把持しているか否かの判定、並びに、携帯端末のどの面が机などの上に置かれているかの判定を行う。
【００４６】
図５は、再生モードの設定項目の一例を示す図である。
モード設定記憶部２０３は、少なくとも２つ以上の再生モードに係わる情報が格納されている。再生モードの設定項目には、例えば図５に示すように、表示部２０６の視野角に関わる情報（ディスプレイ視野角）と、表示部２０６の照度に関わる情報（ディスプレイ照度）と、表示部２０６のコントラストに関わる情報（ディスプレイコントラスト）と、表示部２０６への画像表示の有無に関わる情報（サブディスプレィ表示）と、表示部２０６に表示する画像の向きに関わる情報（画像表示方向）と、音声出力部２０７における音声出力の指向性に関わる情報（音声出力指向性）と、音声出力部２０７の音量に関わる情報（音声出力音量）と、バイブレーション機能１１５の動作有無に関わる情報（バイブレーション）とが含まれる。
例えば上記のような設定項目を調節することにより、視聴者の人数に応じた画面の表示状態、音声の出力状態を容易に変更することが可能になる。
【００４７】
本実施形態に係る携帯端末では、視聴の仕方に応じて、４つの視聴モードを有している。
モード１は、一人で視聴する場合のモードであり、ディフォルトのモードとして設定される。
モード２〜４は、多人数で視聴する場合のモードであり、モード２は端末を縦に置いた状態で視聴する場合、モード３は端末を左に倒した状態で視聴する場合、モード４は端末を右に倒した状態で視聴する場合にそれぞれ対応する。
モード設定記憶部２０３は、上述した４つの再生モードの各々について、図５に示すような設定項目の情報を記憶する。
【００４８】
図６は、図２に示すセンサ部２０１の検出結果と、携帯端末の状態との対応関係の例を示す図である。
図６の例において、‘ＣＡＳＥ１’は人間が携帯端末を手に持っている状態を示す。
‘ＣＡＳＥ２’は携帯端末を置いてもいない、握ってもいない状態を示す。例えば端末のセンサがない部分を持っている状態がこれに相当する。
‘ＣＡＳＥ３’は、携帯端末が机などに縦に置かれている状態を示す。この場合、図４の底面のセンサ８０２が押圧を検知する。
‘ＣＡＳＥ４’は、携帯端末が机などに右側に倒して置かれている状態を示す。この場合、図４の側面のセンサ８０３が押圧を検知する。
‘ＣＡＳＥ５’は、携帯端末が机などに左側に倒して置かれている状態を示す。この場合、図４の側面のセンサ８０４が押圧を検知する。
【００４９】
図６に示す携帯端末の状態は、上述した再生モード１〜４と以下のように対応する。
ＣＡＳＥ１・・・モード１（通常状態）；
ＣＡＳＥ２・・・モード１（通常状態）；
ＣＡＳＥ３・・・モード２（多人数用制御）；
ＣＡＳＥ４・・・モード３（右横置き多人数用制御）；
ＣＡＳＥ５・・・モード４（左横置き多人数用制御）；
【００５０】
以上のように、各センサの検出結果から、携帯端末がユーザに把持されているか否か、並びに、携帯端末が机などの上にどのような姿勢で置かれているかを精度よく判別することが可能となるため、携帯端末の状態に応じた最適な再生モードを選択することが可能になる。
【００５１】
図７は、携帯端末のディスプレイのある筐体を操作部のある筐体に対して立てて机などの上に置いた場合における視野角の設定の一例を示す図である。
携帯端末を上述のように立てて置いている場合、ディスプレイの視野角は、例えば図７に示すように、置かれている机などの面と平行な方向へ広がるように設定される。点線がモード１、実線がモード２の場合の視野角である。多人数で視聴する場合は、１人で視聴する場合より視野角を広げることによって、映像を視聴しやすくしている。なお、上記面に垂直な方向の視野角は変更してもしなくても良い。
【００５２】
図８は、携帯端末を横に倒して置いた場合における視野角の設定の一例を示す図である。
携帯端末を横に倒して置いた場合、ディスプレイの視野角は例えば図８に示すように、置かれている机などの面と平行な方向へ広がるように設定される。点線がモード１、実線がモード３の場合の視野角である。多人数で視聴する場合は、１人で視聴する場合より視野角を広げることによって、映像を視聴しやすくしている。なお、上記面に垂直な方向の視野角は変更してもしなくても良い。
【００５３】
図９は、図７と同様に、携帯端末のディスプレイのある筐体を操作部のある筐体に対して立てて机などの上に置いた場合における音声の指向性の設定例を示す図である。
携帯端末を上述のように立てて置いている場合、図９に示すように、置かれている机などの面に対して音声の指向性を平行な方向へ広げるとともに、垂直な方向へも広げる。点線がモード１、実線がモード２における音声の指向性を示す。
【００５４】
図１０は、携帯端末を横に倒して置いた場合における音声の指向性の設定例を示す図である。
携帯端末を横に倒して置いた場合、図１０に示すように、置かれている机などの面に対して音声の指向性を平行な方向へ広げるとともに、垂直な方向へも広げる。点線がモード１、実線がモード３における音声の指向性を示す。
【００５５】
以上、図１０までの説明から分かるように、本実施形態に係る携帯端末によれば、デジタル放送の視聴時において、携帯端末の状態が変化すると、これに応じて適切な再生モードに切り替えることが可能である。
【００５６】
図１１は、再生モード設定画面の一例を示す図である。
【００５７】
図１１〜図１４に示す画面は、デジタル放送視聴時に、状態判定部２０２の判定結果に基づいてモード２に切り替わった場合のより詳細なモードの選択を設定するための画面を示す。初期設定では例えば「多人数視聴モード」が選択されている。予め詳細が設定された数種類のモードを選択できるが、音設定、画面設定、振動設定などをユーザが直接設定することもできる。
【００５８】
ここでは例として、３種類の多人数視聴用モード（多人数視聴モード、多人数控えめモード、特定番組モード）を設けている。
【００５９】
「多人数視聴モード」は、多人数で視聴しやすいようにしたモードである。
「多人数控えめモード」は、音量が多人数モードに比べ音声などが少し低いなどの特色がある。（ここでは、モード５を「縦置き多人数控えめモード」、モード６を「右横置き多人数控えめモード」、モード７を「左横置き多人数控えめモード」と呼ぶ。）
【００６０】
「特定番組モード」は、状態判定部２０２において携帯端末が置かれている（人の手に把持されていない）と判定されたときに、ユーザの視聴したい番組や、緊急警報放送時のみ多人数視聴モードに切り替わるモードである。
【００６１】
図１２に示す画面は、図１１に示す画面において「音設定」が選択されたときに遷移する画面であり、音に関連する設定が行われる。
図１２の画面では、音量、音声出力の指向性、使用する音声出力部の各項目を選択して、その設定内容を変更することができる。
【００６２】
図１３に示す画面は、図１１に示す画面において「画面設定」が選択されたときに遷移する画面であり、画面表示に関連する設定が行われる。図１３の画面では、画面コントラスト、表示指向性、画面出力部の各項目を選択して、その設定内容を変更することができる。
【００６３】
図１４に示す画面は、図１１に示す画面において「振動設定」が選択されたときに遷移する画面であり、バイブレーション機能に関する設定が行われる。図１４の画面では、バイブレーションのオン、オフを設定することができる。これにより、デジタル放送を視聴している最中に着信を通知する振動が発生して視聴が困難になる状態を防止できる。バイブレーションをオフに設定した場合には、例えば着信があったことを操作部１１０のバックライトの点滅などで通知する。
【００６４】
以上、図１１までの説明から分かるように、本実施形態に係る携帯端末によれば、多人数視聴モードのより細かい設定をユーザの好みに合わせて設定することが可能である。
【００６５】
図１５は、特定番組モードの設定画面の一例を示す図である。
特定番組モードでは、データ復号部１０７で復号されたデジタル放送の番組情報やサービス情報に基づいて、図１５に示す画面においてユーザが予め設定した番組のジャンルと受信された番組のジャンルとが一致するか判定を行う。そして、デジタル放送用のアプリケーションプログラムの起動中において、上述したジャンルの判定結果に応じて、再生モードをモード１（通常状態）からその他のモードへ自動的に切り替える。
特定番組モードのディフォルトでは、例えば緊急警報放送時において自動的に多人数用のモードへ切り替える。
【００６６】
以上、図１５までの説明から分かるように、本実施形態に係る携帯端末によれば、ユーザが画面に注目していない場合や離れた場所にいる場合でも、視聴したいと思っていた番組や緊急警報放送などの重要な番組を、適切な再生モードで視聴することが可能になる。
【００６７】
図１６は、図１１に示す設定画面において「多人数視聴モード」若しくは「多人数控えめモード」をオンに設定した場合における再生モードの判定方法を説明するための図である。
なお、開始時は、モード１（通常状態）となっている。
【００６８】
図１６において、‘Ａ’は、接触センサ、‘Ｂ’は底面センサ、‘Ｃ’は側面センサ（右）、‘Ｄ’は側面センサ（左）を表しており、その値が‘１’の場合はセンサが接触若しくは押圧を検知していることを表す。状態判定部２０２によって机などに置かれていると判定された場合で、値が‘０’のときは、センサが接触若しくは押圧を検知していないことを表す。
‘Ｘ’は、その値が‘１’のときに多人数モード、‘０’のときは多人数控えめモードを表す。
‘Ｙ’は１のときは、イヤホンを使用している状態、０のときは、イヤホン使用されていないと判定されたときである。
【００６９】
図１６では、モードを７つに分類しており、‘１’はモード１、‘２’はモード２（縦置き時の多人数視聴モード）、‘３’はモード３（横右置き時の多人数視聴モード）、‘４’はモード４（左横置き時の多人数視聴モード）、‘５’はモード５（縦置き時の多人数控えめ視聴モード）、‘６’はモード６（右横置き時の多人数控えめ視聴モード）、‘７’はモード７（左横置き時の多人数控えめ視聴モード）を表す。
【００７０】
また、図１６において、‘Ｙ＝１’の場合（表の中心部分（右上がり斜線部分））は、イヤホンを接続している場合であり、視聴モードはモード１（ディフォルト）とする。更に、‘Ａ＝１’の部分（斜線交差部分）は、接触センサにてユーザが携帯端末の筐体を把持していると判定されている場合も、視聴モードをモード１（ディフォルト）とする。
【００７１】
‘Ｘ＝１’の場合（表の右半分）は、多人数モードにユーザが設定している場合に相当する。
‘Ｘ＝１’（多人数モード設定）、‘Ｙ＝０’（イヤホン未使用中）、‘Ａ＝０’（ユーザ未保持）の場合（表の１番右側）のうち、‘Ｂ＝１’の部分（表右下の斜線交差部分）は、底面センサにより机などに置かれていると判定している場合であり、この場合、端末を縦向きの状態で置き、多人数で視聴していると判断し、モード２（多人数視聴（縦置き））とする。残りの‘Ｃ＝１’の場合、つまり側面センサ（右）により机などに置かれていると判定した場合は、右横置きの状態で多人数視聴していると判断し、モード３とする。逆に‘Ｄ＝１’の場合、つまり側面センサ（左）により机などに置かれていると判定した場合は、左横置きの状態で多人数視聴していると判断し、モード４とする。
【００７２】
‘Ｘ＝０’の場合（表の左半分）は、多人数控えめモードにユーザが設定している場合である。
‘Ｘ＝０’（多人数控えめモード設定）、‘Ｙ＝０’（イヤホン未使用中）、‘Ａ＝０’（ユーザ未保持）の場合（表の１番左側）、‘Ｂ＝１’の部分（下方メッシュ部分）は、底面センサが机などに置かれていることを判定している場合であり、この場合、端末を縦向きの状態で置き、多人数で視聴していると判断し、モード５（多人数控えめ視聴（縦置き））とする。残りの‘Ｃ＝１’の場合、つまり側面センサ（右）により机などに置かれていると判定した場合は、右横置きの状態で多人数視聴していると判断しモード６とする。逆に‘Ｄ＝１’の場合、つまり側面センサ（左）により机などに置かれていると判定した場合は、左横置きの状態で多人数視聴していると判断し、モード７とする。
【００７３】
その他、‘Ａ＝０’（接触センサ検知なし）、‘Ｂ＝０’（底面センサ検知なし）、‘Ｃ＝０’（側面センサ（右）検知なし）、‘Ｄ＝０’（側面センサ（左）検知なし）の場合、つまりセンサに非接触状態の場合は、状態を特定できないため、視聴モードをモード１（ディフォルト）とする。また、‘Ｃ＝１’、‘Ｄ＝１’の場合、つまり両方の側面センサが検知した場合は、状態の遷移過程である可能性が高いため、視聴モードは、前のモードを継続するものとする。
【００７４】
図１７は、図１１に示す設定画面において「特定番組モード」をオンに設定した場合における再生モードの判定方法を説明するための図である。
なお、開始時は、モード１（通常状態）となっている。
【００７５】
図１７において、‘Ａ’は、接触センサ、‘Ｂ’は底面センサ、‘Ｃ’は側面センサ（右）、‘Ｄ’は側面センサ（左）を表しており、その値が‘１’のときはセンサが動作し、状態判定部２０２によって机などに置かれていると判定された場合で値が‘０’のときは、机などに置かれていると判定できない場合を表している。
‘Ｙ’が‘１’のときは、イヤホンを使用している状態、‘０’のときは、イヤホンが使用されていないと判定されたときを表す。
‘Ｚ’は、ユーザが選択した特定番組若しくは緊急警報放送を受信した場合に‘１’、それ以外は‘０’である。
【００７６】
図１７では、モードを４つに分類しており、‘１’はモード１、‘２’はモード２（縦置き時の多人数視聴モード）、‘３’はモード３（右横置き時の多人数視聴モード）、‘４’はモード４（左横置き時の多人数視聴モード）である。
【００７７】
‘Ｚ＝０’の場合（表の左半分（左上がり斜線部分））は、Ｚ＝０の場合、つまり特定番組を受信していない場合であり、この場合、視聴モードはモード１（ディフォルト）になる。
‘Ｚ＝１’の場合（表の右半分）は、特定番組を受信している場合である。このうち、‘Ｙ＝１’の場合（右上がり斜線部分）は、イヤホンを使用している場合であり、この場合、視聴モードはモード１（ディフォルト）とする。更に、‘Ａ＝１’の場合（斜線交差部分）は、接触センサによってユーザが筐体を把持中であると判定された場合も、視聴モードをモード１（ディフォルト）とする。
【００７８】
‘Ｚ＝１’（特定番組受信中）、‘Ｙ＝０’（イヤホン未使用中）、‘Ａ＝０’（ユーザ未保持）の場合（表の１番右側部分）のうち、‘Ｂ＝１’の場合（下方斜線交差部分）は、底面センサが机などに置かれていると判定している場合であり、この場合、端末を縦向きの状態で置き、多人数で視聴していると判断し、モード２（多人数視聴（縦置き））とする。残りの‘Ｃ＝１’の場合、つまり側面センサ（右）により机などに置かれていると判定した場合は、右横置きの状態で多人数で視聴していると判断し、モード３とする。逆に‘Ｄ＝１’の場合、つまり側面センサ（左）により机などに置かれていると判定した場合は、左横置きの状態で多人数で視聴していると判断しモード４とする。
【００７９】
その他、‘Ａ＝０’（接触センサ検知なし）、‘Ｂ＝０’（底面センサ検知なし）、‘Ｃ＝０’（側面センサ（右）検知なし）、‘Ｄ＝０’（側面センサ（左）検知なし）の場合、つまりセンサに非接触状態の場合、状態を特定できないため、視聴モードをモード１（ディフォルト）とする。また、‘Ｃ＝１’、‘Ｄ＝１’の場合、つまり両方の側面センサが検知した場合は、状態の遷移過程である可能性が高いため、視聴モードは、前のモードを継続するものとする。
【００８０】
以上、図１７までの説明から分かるように、本実施形態に係る携帯端末によれば、端末が様々な状態にあっても、ユーザにとって視聴しやすい再生モードを適切に選択することができる。
【００８１】
次に、本発明の他の実施形態として、センサ部２０１に加速度センサを用いる携帯端末について説明する。
【００８２】
図１８は、本発明の他の実施形態に係る携帯端末の正面と背面の外観の一例を示す図である。
図１８に示す携帯端末は、第１ケース部３と第２ケース部７の側面に人間の電気抵抗を感知できる接触センサ８０１（２００１〜２００３）を備えており、また、第２ケース部７の内部に加速度センサ１２０１（２０１９）を備えている。加速度センサ１２０１は、移動体が加速している状態や移動中の振動を感知できる。
【００８３】
図１９は、本発明の他の実施形態に係るセンサ部２０１の構成の一例を示す図である。
【００８４】
図１９（Ａ）は、ユーザが筐体を把持しているかどうか検知する接触センサの構成例を示す。
図１９（Ａ）に示す接触センサは、３つの接触センサ（静電センサ）２００１，２００２，２００３と、２センサ接触検知判定部２００４を有する。
接触センサ２００１，２００２，２００３は、筐体の１つ側面に１つずつ、各側面に配置されている。２センサ接触検知判定２００４は、２つのセンサが物体の接触を検知した場合に、手などの接触があったことを判定する。
【００８５】
図１９（Ｂ）は、ユーザが移動体に乗車しているかを検知する乗車センサの構成の一例を示す。
図１９（Ｂ）に示す乗車センサは、加速度センサ２０１９と移動車両乗車判定部２０２０とを有する。加速度センサ２０１９は、携帯端末の筐体にかかる加速度を検知する。移動車両乗車判定部２０２０は、閾値によって携帯端末が移動中であるか否かを判定する。
【００８６】
図２０は、図１９に示すセンサ部２０１の検出結果と、携帯端末の状態との対応関係の例を示す図である。
【００８７】
図２０において、‘ＣＡＳＥ６’はユーザが移動中の移動体に乗って、携帯端末を手に持っている状態を示す。この場合、図１９（Ａ）の接触センサはオン（接触あり）、図１９（Ｂ）の乗車センサはオン（乗車中）である。
‘ＣＡＳＥ７’はユーザが移動中の移動体に乗って、机などに置かれている状態を示す。この場合、接触センサはオフ、乗車センサはオンである。
‘ＣＡＳＥ８’は、ユーザが移動中の移動体に乗っておらず、携帯端末を手に持っている状態を示す。この場合、接触センサはオン、乗車センサはオフである。
‘ＣＡＳＥ９’は、ユーザが移動中の移動体に乗っておらず、机などに置かれている状態を想定している。この場合、接触センサはオフ、乗車センサはオフである。
‘ＣＡＳＥ１０’は、ユーザが移動中の移動体に乗って、その移動体が停車したときに、机などに置かれている状態を示す。この場合、接触センサはオフ、乗車センサはオンである。
【００８８】
ここでは、例えば、移動体に乗っている状態で、ある閾値を超える慣性力が加速度センサ２０１９により検知された場合、移動体が減速して静止状態に移行すると判定される。例えば電車の場合、減速時に約４ｋｍ／ｓ／ｓの程度の加速度がかかる。このような、車両の加速度を考慮して移動車両乗車判定部２０２０における加速度のしきい値を設定すると、‘ＣＡＳＥ６’〜‘ＣＡＳＥ１０’の再生モードは、以下のように判定できる。
【００８９】
ＣＡＳＥ６・・・モード１（通常状態）；
ＣＡＳＥ７・・・モード１（通常状態）；
ＣＡＳＥ８・・・モード１（通常状態）；
ＣＡＳＥ９・・・モード２（縦置き多人数用制御）；
ＣＡＳＥ１０・・・モード１（通常状態）；
【００９０】
移動車両乗車判定部２０２０の判定方法を説明するための図である。
ある一定加速度を閾値として設定し、加速度が正の閾値に二度達した時（ｔ１とｔ２）に乗車中フラグをオンに設定し、負の閾値に二度達した時（ｔ５とｔ６）に乗車フラグをオフに設定する。携帯端末が激しく振動しているときや慣性力を感知したときは、移動体に乗っていると判定できる。図１９に示す２種類のセンサを組み合わせて、移動体に乗っている場合と移動体に乗っていない場合のそれぞれにおいて、携帯端末が手に把持されているか否か、携帯端末がどのような状態かを判定することができる。
【００９１】
以上、図２１までの説明から分かるように、本実施形態に係る携帯端末によれば、センサの検出結果に基づいて、ユーザが移動体に乗車中かそうでないかを判別し、マナーを考慮して、最適な再生モードを判定することが可能である。加速度センサの判定基準に閾値を設けることで、ユーザが移動体に乗っている場合や、移動体が静止している場合にも誤動作を防ぐことができる。なお、上述の底面、側面センサを用いて机上などを正確に判定しても良い。
本発明の上述した２つの実施形態を組み合わせることによって、携帯端末が様々な状況にあっても、最適な再生モードを選択することが可能である。
【００９２】
本発明の上述した実施形態によれば、デジタル放送視聴時に、ユーザが使用する環境を考慮して、再生モードの設定を切り替える手間を省き、ユーザの手を煩わせることなく、離れた状態や多人数で視聴するのに適した再生モードへ自動的に切り替えることが可能となる。
更に、デジタル放送視聴時に特定番組情報をトリガーとして、自動的に離れた状態や多人数で視聴するのに適した設定に切り替えることで、ユーザが興味のある番組や緊急警報放送など重要な番組を見逃すことを防ぐことが可能となる。
更に、加速度センサにより、ユーザが乗車中か判定することで、マナーが必要とされる場所での誤作動をなくし、自動的に離れた状態や多人数で視聴するのに適した設定に切り替えることが可能となる。
【００９３】
なお、本発明は上記の形態のみに限定されるものではなく、種々のバリエーションを含んでいる。
【００９４】
例えば、本発明の携帯端末において受信する放送波は、デジタル放送の放送波に限らず、アナログ放送の放送波でも良い。
【００９５】
また、制御部２０５は、モード判定部２０４において判定される最適な再生モードが変化した場合、この変更判定の時点から所定時間が経過するまで、現在設定されている（設定中）の再生モードを持続しても良い。そして、この所定時間が経過する前に操作部１１０から所定の指示（再生モードを持続する指示）が入力された場合は、所定時間が経過した後も現在設定されている（設定中）の再生モードを持続しても良い。
更に制御部２０５は、モード判定部２０４において判定される最適な再生モードを変更判定した場合に、上述した所定時間が経過する時点までの残り時間に関する情報を表示部２０６において表示しても良い。
これにより、ユーザの意図に反して再生モードが変わろうとしてもそれを禁止して元の再生モードを持続させることが可能になるため、ユーザの利便性を更に高めることができる。
【図面の簡単な説明】
【００９６】
【図１】本発明の実施形態に係る携帯端末の構成の一例を示す図である。
【図２】センサ部の構成例を示す図である。
【図３】表示部の構成の一例を示す図である。
【図４】本実施形態に係る携帯端末の正面と背面の外観の一例を示す図である。
【図５】再生モードの設定項目の一例を示す図である。
【図６】図２に示すセンサ部の検出結果と、携帯端末の状態との対応関係の例を示す図である。
【図７】携帯端末のディスプレイのある筐体を操作部のある筐体に対して立てて机などの上に置いた場合における視野角の設定の一例を示す図である。
【図８】携帯端末を横に倒して机などの上に置いた場合における視野角の設定の一例を示す図である。
【図９】携帯端末のディスプレイのある筐体を操作部のある筐体に対して立てて机などの上に置いた場合における音声の指向性の設定例を示す図である。
【図１０】携帯端末を横に倒して机などの上に置いた場合における音声の指向性の設定例を示す図である。
【図１１】再生モード設定画面の一例を示す図である。
【図１２】図１１に示す画面において「音設定」が選択されたときに遷移する画面の例を示す図である。
【図１３】図１１に示す画面において「画面設定」が選択されたときに遷移する画面の例を示す図である。
【図１４】図１１に示す画面において「振動設定」が選択されたときに遷移する画面の例を示す図である。
【図１５】特定番組モードの設定画面の一例を示す図である。
【図１６】図１１に示す設定画面において「多人数視聴モード」若しくは「多人数控えめモード」をオンに設定した場合における再生モードの判定方法を説明するための図である。
【図１７】図１７は、図１１に示す設定画面において「特定番組モード」をオンに設定した場合における再生モードの判定方法を説明するための図である。
【図１８】本発明の他の実施形態に係る携帯端末の正面と背面の外観の一例を示す図である。
【図１９】本発明の他の実施形態に係るセンサ部の構成例を示す図である。
【図２０】図１９に示すセンサ部の検出結果と、携帯端末の状態との対応関係の例を示す図である。
【図２１】移動車両乗車判定部の判定方法を説明するための図である。
【符号の説明】
【００９７】
１００…携帯端末、１０１…アンテナ、１０２…チューナー部、１０３…復調部、１０４…ＴＳ分離部、１０５…音声復号部、１０６…映像復号部、１０７…データ復号部、１０８…送受信部、１１０…操作部、１１３…アンテナ、１１４…イヤホン接続検知部、１１５…バイブレーション機能部、２０１…センサ部、２０２…状態判定部、２０３…モード設定記憶部、２０４…モード判定部、２０５…制御部、２０６…表示部、２０７…音声出力部
【図１】
2007096992.tif 000003
【図２】
2007096992.tif 000004
【図３】
2007096992.tif 000005
【図４】
2007096992.tif 000006
【図５】
2007096992.tif 000007
【図６】
2007096992.tif 000008
【図７】
2007096992.tif 000009
【図８】
2007096992.tif 000010
【図９】
2007096992.tif 000011
【図１０】
2007096992.tif 000012
【図１１】
2007096992.tif 000013
【図１２】
2007096992.tif 000014
【図１３】
2007096992.tif 000015
【図１４】
2007096992.tif 000016
【図１５】
2007096992.tif 000017
【図１６】
2007096992.tif 000018
【図１７】
2007096992.tif 000019
【図１８】
2007096992.tif 000020
【図１９】
2007096992.tif 000021
【図２０】
2007096992.tif 000022
【図２１】
2007096992.tif 000023